(57)【要約】      （修正有）【課題】広告媒体面にリーダライタ陰影の影響と、携帯型情報端末およびカードに内蔵された非接触情報記憶媒体に対応したリーダライタとの通信影響などを解消したデザイン性が優れた広告効果の高い照明付きパネルを提供する。【解決手段】エッジライト方式およびＥＬの光源を利用することにより広告媒体と導光板とを密着した状態でも広告媒体面に光むらが生じず、また、携帯型情報端末に内蔵された非接触情報記憶媒体および非接触情報記憶媒体付きカードとの情報の読み出しまたは書き込みを行うリーダライタとの距離による通信問題も解消し、さらに、導光板、反射板の背面にリーダライタを付着させるため、光源をリーダライタがさえぎることがなく広告媒体上にリーダライタの陰影が生じずデザイン性に優れ、通常の照明なしポスターに比べてインパクトがあり、通行人等にインセンティブを与えることのできる広告効果の高い照明付き広告パネルを提供できる。【選択図】図−２
0003139978.tif 000002
【実用新案登録請求の範囲】
【請求項１】
携帯型情報端末に内蔵された非接触情報記憶媒体および非接触情報記憶媒体付きカードに対応したリーダライタを内蔵した照明付き広告パネルにおいて広告媒体面にリーダライタ陰影の影響と、携帯型情報端末およびカードに内蔵された非接触情報記憶媒体に対応したリーダライタとの通信影響などを解消したデザイン性が優れた広告効果の高い照明付きパネル。
【請求項２】
前記広告媒体は平面広告であり、同一の平面広告の複数の異なる箇所に前記リーダライタを設けたことを特徴とする請求項１記載の照明付き広告パネル。
【請求項３】
前記リーダライタは、アンテナ部と制御回路部から構成されアンテナ部のみを同一の平面広告の複数の異なる箇所にアンテナ部を設けたことを特徴とする請求項１または２記載の照明付き広告パネル。
【考案の詳細な説明】
【技術分野】
【０００１】  本考案は、ポスターや看板等のようなシート状またはパネル状の広告パネルに関し、特に、光源をＬＥＤ、冷陰極管またはＥＬを使用した照明付き広告パネルにリーダライタを設け、携帯型情報端末に内蔵された非接触情報記憶媒体との情報の読み出しまたは書き込みを行うことができる照明付き広告パネルに関するものである。
【背景技術】
【０００２】  広告媒体には、広告内容に関する情報を提供しているウェブサイトのＵＲＬやＵＲＬなどを情報として保持する２次元コードが印刷されている。しかしながら、ＵＲＬは一般的に小さな文字で記載されているために無視されがちであり、また、広告媒体に記載されたＵＲＬを覚えたり書き写したりしておき、後でパソコン等に入力してアクセスするか、或いはその場で携帯型情報端末に入力してアクセスしなければならず、その面倒臭さの故に利用されていないのが実状である、また２次元コードはバーコード読み取り機能付き携帯型情報端末のアプリケーションを起動して２次元コードを読み取らなくてはならず面倒である。これに対し、近年は広告媒体、特に、ポスターなどにリーダライタを設け、携帯型情報端末に内蔵された非接触情報記憶媒体および非接触情報記憶媒体付きカードとの情報の読み出しまたは書き込みを非接触で行うことができる電波ポスター（大日本印刷株式会社製）をはじめ、ユビキタスポスター、インタラクティブポスターなどが発表されている。またポスターパネルにもＬＥＤ（Ｌｉｇｈｔ  Ｅｍｉｔｔｉｎｇ  Ｄｉｏｄｅ）またはＥＬ（エレクトロルミネセンス）光源とする照明付き広告パネルが市販されているが、照明付き広告パネルにリーダライタを設ける場合リーダライタの陰影が広告媒体へおよぼす影響、またリーダライタと携帯型情報端末に内蔵された非接触情報記憶媒体間の通信距離の問題などがあり、リーダライタが設けられていないのが実状である。
【考案の開示】
【考案が解決しようとする課題】
【０００３】  照明付き広告パネルにリーダライタを設ける場合、直下型方式バックライトを採用し光源面の明るさを均一化して広告媒体を美しく見せるには、光源と広告媒体の距離を一定以上保たなければ明るさを均一化することができず、直下型方式バックライトの背面にリーダライタを設けて携帯型情報端末に内蔵された非接触情報記憶媒体および非接触情報記憶媒体付きカードとの情報の読み出しまたは書き込みを行うための通信距離が遠くなり通信不可能となる。通信可能な距離にリーダライタを設けようとすれば、リーダライタを直下型方式バックライトの背面ではなく正面に設けるしかなく、この場合どうしてもリーダライタの陰影が広告媒体に映り込み広告媒体のデザインを損なう原因となる。しかるにリーダライタを照明付き広告パネルへ容易にリーダライタを設けることができない、この様な問題を解決してリーダライタの陰影が広告媒体に映り込むことがない照明付き広告パネルを提供する。
【課題を解決するための手段】
【０００４】  エッジライト方式およびＥＬの光源を利用することにより広告媒体と導光板とを密着した状態でも広告媒体面に光むらが生じず、また、携帯型情報端末に内蔵された非接触情報記憶媒体および非接触情報記憶媒体付きカードとの情報の読み出しまたは書き込みを行うリーダライタとの距離による通信問題も解消し、さらに、導光板、反射板の背面にリーダライタを付着させるため、光源をリーダライタがさえぎることがなく広告媒体上にリーダライタの陰影が生じずデザイン性に優れ、通常の照明なしポスターに比べてインパクトがあり、通行人等にインセンティブを与えることのできる広告効果の高い照明付き広告パネルを提供できるものである。【０００５】  本考案の請求項１は、広告媒体の内部に、携帯型情報端末に内蔵された非接触情報記憶媒体および非接触情報記憶媒体付きカードとの情報の読み出しまたは書き込みを行うリーダライタを設け、広告媒体に該リーダライタの陰影が映りこまない照明付き広告パネルである。【０００６】  照明付き広告パネルの照明方式として、エッジライトを光源としてエッジライト方式導光板背面にリーダライタを付着させてもよい。また、ＥＬライト板（シート）背面にリーダライタを付着させてもよい。【０００７】  エッジライト方式は、光源面と広告媒体が密着しているため、光源面である導光板背面にリーダライタを設けても通信が可能となり、また、該リーダライタの陰影が広告媒体に映りこまない照明付き広告パネルとなる。またＥＬライト板（シート）背面にリーダライタを設けることにより、該リーダライタの陰影が広告媒体に映りこまない照明付き広告パネルとなる。【０００８】  本考案の請求項２は、広告媒体の内部に、携帯型情報端末に内蔵された非接触情報記憶媒体との情報の読み出しまたは書き込みを行うリーダライタを同一の平面広告の複数の異なる箇所にリーダライタを設け、広告媒体に該リーダライタの陰影が映りこまない照明付き広告パネルである。【０００９】  照明付き広告パネルの照明方式として、エッジライトを光源としてエッジライト方式導光板背面に複数個リーダライタを付着させてもよい。また、ＥＬライト板（シート）背面に複数個リーダライタを付着させてもよい。【０００１０】  エッジライト方式は、光源面と広告媒体が密着しているため、光源面である導光板背面に複数個のリーダライタを設けても各々個別の通信が可能となり、また、該リーダライタの陰影が広告媒体に映りこまない複数個のリーダライタが付着した照明付き広告パネルとなる。またＥＬライト板（シート）背面に複数個のリーダライタを設けることにより、該リーダライタの陰影が広告媒体に映りこまない複数個のリーダライタが付着した照明付き広告パネルとなる。【０００１１】  本考案の請求項３は、照明付き広告パネルに付着されるリーダライタは、アンテナ部と制御回路部から構成されアンテナ部のみを同一の平面広告の複数の異なる箇所にアンテナ部を設け、広告媒体に該リーダライタの制御回路部およびアンテナ部の陰影が映りこまない照明付き広告パネルである。【０００１２】  照明付き広告パネルの照明方式として、エッジライトを光源としてエッジライト方式導光板背面に複数個のアンテナ部と単一制御回路部を付着させてもよい。また、ＥＬライト板（シート）背面に複数個のアンテナ部と単一制御回路部を付着させてもよい。【０００１３】  エッジライト方式は、光源面と広告媒体が密着しているため、光源面である導光板背面に複数個のアンテナ部と単一制御回路部を設けても通信が可能となり、また、該リーダライタの陰影が広告媒体に映りこまない照明付き広告パネルとなる。またＥＬライト板（シート）背面に複数個のアンテナ部と単一制御回路部を設けることにより、該リーダライタの陰影が広告媒体に映りこまない照明付き広告パネルとなる。
【考案の効果】
【０００１４】  本考案によれば、エッジライト方式の光源およびＥＬライト板（シート）光源背面にリーダライタを設けることにより、該リーダライタの陰影が広告媒体に映りこまないデザイン性に優れた照明付き広告パネルが提供できる。通常ポスターより照明効果で明るく通行人にインセンティブを与え通常ポスターと大きな差異がある。また、照明付き広告媒体の内部に、携帯型情報端末に内蔵された非接触情報記憶媒体との情報の読み出しまたは書き込みを行うリーダライタを設けられていることが明確に分かり、この照明付き広告媒体は情報の読み出しまたは書き込みを携帯型情報端末および非接触情報記憶媒体付きカードを通じてオンデマンドに行なうことができる広告パネルであることが通行人等に瞬時に判別でき、広告主にとっては大きな広告効果をもたらす。
【考案を実施するための最良の形態】
【０００１５】  街を歩いていたり電車に乗っていたりしているときに、気になる商品や催し物等の広告物を見つけたとしても、その広告物から広告内容の詳細を知ることはほどんど不可能であった。そのため、その広告内容について詳細な情報を求めたいときは、販売店に出掛けたり、カタログを取り寄せたり、電話等で問い合わせたりしていた。これに対し、近年のインターネットの普及により、広告内容に関する詳細な情報をインターネット上で簡単に得ることができるようになってはいるが、目的の情報が掲載されているウェブサイトのＵＲＬが解らないと、サーチエンジンを使用して探したり、関連しそうなウェブサイトにアクセスして手掛かりを求めて行かねばならず、意外と手間暇を要するものであった。このような手間暇を省くために、近年の広告物には、広告内容に関する情報を提供しているウェブサイトのＵＲＬやＵＲＬなどを情報として保持する２次元コードが印刷されている。しかしながら、ＵＲＬは一般的に小さな文字で記載されているために無視されがちであり、また、広告媒体に記載されたＵＲＬを覚えたり書き写したりしておき、後でパソコン等に入力してアクセスするが、或いはその場で携帯型情報端末に入力してアクセスしなければならず、その面倒臭さの故に利用されていないのが実状である、また２次元コードはバーコード読み取り機能付き携帯型情報端末のアプリケーションを起動して２次元コードを読み取らなくてはならず面倒である。これに対し、近年は広告媒体、特に、ポスターなどにリーダライタを設け、携帯型情報端末に内蔵された非接触情報記憶媒体および非接触情報記憶媒体付きカードとの情報の読み出しまたは書き込みを非接触で行うことができる、ユビキタスポスター、インタラクティブポスターなどが発表されている。
本考案は、携帯型情報端末に内蔵された非接触情報記憶媒体および非接触情報記憶媒体付きカードに対応したリーダライタを内蔵したデザイン性に優れ、照明付き故、通行人等にインセンティブを与えることのできる広告効果の高い照明付き広告パネルである。
【実施例１】
【０００１６】  図−１に示すように、直下型方式バックライト光源１−２と広告媒体１−１の間にリーダライタ１−３を付着した場合、広告媒体１−１上にリーダライタの陰影１−４が生じ、また、光源１−２と広告媒体１−１の距離が狭いと均一的な光面が得られず光むらが生じる、さらに、光むらが生じることを防止するために一定距離以上で離すと広告媒体１−１上で、広告媒体に内蔵されたリーダライタ付着位置にタッチされる、携帯型情報端末に内蔵された非接触情報記憶媒体および非接触情報記憶媒体付きカードとの情報の読み出しまたは書き込みを行うリーダライタ１−３との距離が遠くなり通信が不可能となる、故に、直下型方式バックライト光源１−２ではリーダライタ１−３の付着が不可能であり、無理やり付着しても広告媒体１−１のデザイン性を損ねる原因となる。
【実施例２】
【０００１７】  図−２、図−３Ａ、図−３Ｂに示すように、ＬＥＤ光源ユニット２−２に収められた光源２−１の光が、エッジライト方式導光板２−３を通じて入光し、広告媒体１−１を照らす、光源２−１がエッジに付いていることでエッジライト方式と呼ばれる。このエッジライト方式の光源を利用することにより広告媒体１−１と導光板２−３とを密着した状態でも広告媒体面に光むらが生じず、また、携帯型情報端末に内蔵された非接触情報記憶媒体および非接触情報記憶媒体付きカードとの情報の読み出しまたは書き込みを行うリーダライタ１−３との距離による通信問題も解決し、さらに、導光板２−３、反射板２−４の背面にリーダライタ１−３を付着させるため、光源２−１をリーダライタ１−３がさえぎることがなく広告媒体１−１上にリーダライタの陰影が生じずデザイン性に優れ、通常の照明なしポスターに比べてインタクトがあり、通行人等にインセンティブを与えることのできる広告効果の高い照明付き広告パネルである。
【実施例３】
【０００１８】  図−４Ａ、図−４Ｂに示すように、リーダライタ１−３を複数個を付着させることにより、リーダライタ１−３毎に異なる情報へ携帯型情報端末に内蔵された非接触情報記憶媒体および非接触情報記憶媒体付きカードとの情報の読み出しまたは書き込みを行うことができ、具体的な活用例として、リーダライタ１−３毎に個々の商品購入、地図などの各所ポイント情報などが容易に取得できる様になる。この様に利用するリーダライタ１−３を複数個導光板２−３背面に付着させても広告媒体１−１を照らす、光源２−１がエッジに付いていることで光源２−１を複数個付着してもリーダライタ１−３がさえぎることがなく広告媒体１−１上にリーダライタの陰影が生じない、また、広告媒体１−１と導光板２−３とを密着した状態であるため携帯型情報端末に内蔵された非接触情報記憶媒体および非接触情報記憶媒体付きカードとの情報の読み出しまたは書き込みを行うリーダライタ１−３との距離による通信問題も生じない。さらに、広告媒体面に光むらが生じずデザイン性に優れ広告効果の高い照明付き広告パネルである。
【実施例２】
【０００１９】  図−５Ａ、図−５Ｂに示すように、複数個のアンテナ部５−１と単一制御回路部１−３を付着させることにより、アンテナ部５−１毎に異なる情報へ携帯型情報端末に内蔵された非接触情報記憶媒体および非接触情報記憶媒体付きカードとの情報の読み出しまたは書き込みを行うことができ、複数個のリーダライタ１−３を設けるより安価にリーダライタ付き広告パネルを制作することができ、効果的には前記と同じ効果が期待できる。
【産業上の利用可能性】
【０００２０】  本考案の利用により、広告媒体に映りこまないデザイン性に優れた照明付き広告パネルが提供できる。通常ポスターより照明効果で明るく通行人にインセンティブを与え通常ポスターと大きな差異がある。また、照明付き広告媒体の内部に、携帯型情報端末に内蔵された非接触情報記憶媒体との情報の読み出しまたは書き込みを行うリーダライタを設けられていることが明確に区別でき、この照明付き広告媒体は情報の読み出しまたは書き込みを携帯型情報端末および非接触情報記憶媒体付きカードを通じてオンデマンドに行なうことができる広告パネルであることが通行人等に瞬時に判別でき、広告主にとっては大きな広告効果をもたらしデザイン性に優れ、産業上の利用可能な照明付き広告パネルである。
【図面の簡単な説明】
【０００２１】
【図−１】  通常駅などで見かける直下型方式バックライトの看板、広告パネルに組み込まれる相関斜視略図。
【図−２】  本考案で利用するエッジライト方式バックライトの広告パネルの相関斜視略図
【図−３】  ３−Ａ  エッジライト方式導光板背面にリーダライタを設けたエッジライト方式広告パネル断面略図。３−Ｂ  エッジライト方式導光板背面にリーダライタを設けたエッジライト方式広告パネル背面略図。
【図−４】  ４−Ａ  エッジライト方式の導光板背面に複数個のリーダライタを設けたエッジライト方式広告パネル断面略図。４−Ｂ  エッジライト方式の導光板背面に複数個のリーダライタを設けたエッジライト方式広告パネル背面略図。
【図−５】  ５−Ａ  エッジライト方式の導光板背面に複数個のアンテナ部と単一のリーダライタを設けたエッジライト方式広告パネル断面略図。５−Ｂ  エッジライト方式の導光板背面に複数個のアンテナ部と単一のリーダライタを設けたエッジライト方式広告パネル背面略図。
【符号の説明】
【０００２２】〔図−１〕
１−１  広告媒体
１−２  直下型方式バックライト光源板
１−３  リーダライタ
１−４  広告媒体に映り込んだリーダライタ陰影
〔図−２〕
１−１  広告媒体
１−３  リーダライタ
２−１  光源
２−２  光源ユニット
２−３  エッジライト方式導光板
２−４  導光板背面反射板
〔図−３Ａ〕
１−１  広告媒体
１−３  リーダライタ
２−１  光源
２−２  光源ユニット
２−３  エッジライト方式導光板
２−４  導光板背面反射板
３−１  広告パネル保持枠
３−２  背面保護板
３−３  広告媒体保護透明板
〔図−３Ｂ〕
１−３  リーダライタ
３−１  広告パネル保持枠
３−２  背面保護板
〔図−４Ａ〕
１−１  広告媒体
１−３  リーダライタ
２−１  光源
２−２  光源ユニット
２−３  エッジライト方式導光板
２−４  導光板背面反射板
３−１  広告パネル保持枠
３−２  背面保護板
３−３  広告媒体保護透明板
〔図−４Ｂ〕
１−３  リーダライタ
〔図−５Ａ〕
１−１  広告媒体
１−３  リーダライタ
２−１  光源
２−２  光源ユニット
２−３  エッジライト方式導光板
２−４  導光板背面反射板
３−１  広告パネル保持枠
３−２  背面保護板
３−３  広告媒体保護透明板
５−１  アンテナ部
〔図−５Ｂ〕
１−３  リーダライタ
５−１  アンテナ部
５−２  アンテナのリード線
【図−１】
0003139978.tif 000003
【図−２】
0003139978.tif 000004
【図−３Ａ】
0003139978.tif 000005
【図−３Ｂ】
0003139978.tif 000006
【図−４Ａ】
0003139978.tif 000007
【図−４Ｂ】
0003139978.tif 000008
【図−５Ａ】
0003139978.tif 000009
【図−５Ｂ】
0003139978.tif 000010
【手続補正書】
【提出日】平成19年11月21日(2007.11.21)
【手続補正１】
【補正対象書類名】実用新案登録請求の範囲
【補正対象項目名】全文
【補正方法】変更
【補正の内容】
【実用新案登録請求の範囲】
【請求項１】
広告媒体を背面から照明するエッジライト方式およびＥＬ方式の光源を設け、前記光源の背面に携帯型情報端末に内蔵された非接触情報記憶媒体および非接触記憶媒体付きカードに対応したリーダライタや非接触型情報記憶媒体を装着した、リーダライタ内蔵型照明付き広告パネル。
【請求項２】
前記同一広告パネルの複数の異なる箇所に前記リーダライタ等を装着した、請求項１記載の照明付き広告パネル。
【請求項３】
前記リーダライタ等はアンテナ部と制御回路部から構成され、同一広告パネルの複数の異なる箇所にアンテナ部のみを複数装着した、請求項１または２記載の照明付き広告パネル。
【手続補正２】
【補正対象書類名】明細書
【補正対象項目名】００２１
【補正方法】変更
【補正の内容】
【００２１】
【図−１】  通常駅などで見かける直下型方式バックライトの看板、広告パネルに組み込まれる相関斜視略図。
【図−２】  本考案で利用するエッジライト方式バックライトの広告パネルの相関斜視略図。
【図−３Ａ】  エッジライト方式導光板背面にリーダライタを設けたエッジライト方式広告パネル断面略図。
【図−３Ｂ】  エッジライト方式導光板背面にリーダライタを設けたエッジライト方式広告パネル背面略図。
【図−４Ａ】  エッジライト方式の導光板背面に複数個のリーダライタを設けたエッジライト方式広告パネル断面略図。
【図−４Ｂ】  エッジライト方式の導光板背面に複数個のリーダライタを設けたエッジライト方式広告パネル背面略図。
【図−５Ａ】  エッジライト方式の導光板背面に複数個のアンテナ部と単一のリーダライタを設けたエッジライト方式広告パネル断面略図。
【図−５Ｂ】  エッジライト方式の導光板背面に複数個のアンテナ部と単一のリーダライタを設けたエッジライト方式広告パネル背面略図。